(57)【要約】【課題】距骨の位置を適正にするようなサポータを提供すること。 【解決手段】踵部に固定されるサポータであって、踵骨の直下において踵に接する第１の部分と立方骨の直下において踵に接する第２の部分とが、踵に接する他の部分よりも２ｍｍ〜７ｍｍ盛り上がっているものを提供する。第１の部分を足の外側から引き上げて踵に圧着する圧着部を備え、第１の部分と圧着部との間に弾性を持たせて安定した保持を実現する。また、足首の周囲において圧着部を面ファスナで固定する固定部を備える。【選択図】図２
2015134049.tif 000002
【特許請求の範囲】
【請求項１】
踵部に固定されるサポータであって、
踵骨の外側突起の直下において踵に接する第１の部分が、踵に接する他の部分よりも２ｍｍ〜７ｍｍ盛り上がっていることを特徴とする、サポータ。
【請求項２】
立方骨の直下において踵に接する第２の部分が、踵に接する他の部分よりも２ｍｍ〜７ｍｍ盛り上がっていることを特徴とする、請求項１に記載のサポータ。
【請求項３】
前記第１の部分と前記第２の部分が連続していることを特徴とする、請求項２に記載のサポータ。
【請求項４】
前記第１の部分を足の外側から引き上げて踵に圧着する圧着部を備えることを特徴とする、請求項１〜３のいずれか1項に記載のサポータ。
【請求項５】
前記圧着部は、前記第１の部分と連続した弾性体であり、
前記圧着部の前記第１の部分と反対側の端部を固定する固定部を備えることを特徴とする、請求項４に記載のサポータ。
【請求項６】
前記固定部は、足首に周固され、
前記圧着部が前記固定部に面ファスナを介して固定されることを特徴とする、請求項５に記載のサポータ。
【発明の詳細な説明】
【技術分野】
【０００１】
本発明は、踵部分の骨の位置を調整するサポータに関する。
【背景技術】
【０００２】
けがをした場合やスポーツをする場合に、布製のサポータを着用することが多い。サポータによって、関節や筋肉の動きを容易にする、適正な位置（又はその周辺）に固定する等の効果を得るものである。（例えば特許文献１を参照。）
しかし、従来のサポータは、着用する部分（又はその近傍）に存在する関節や筋肉への直接的な支援（力学的な補助）を行うものであり、体全体の健康を実現するものではなかった。
【０００３】
一方、「猫背は体に良くない」等、体全体のバランスの観点から体の一部の姿勢を正しくするための知見も存在する。かかる知見には必ずしも医学的な裏付けが十分ではない経験的なものもあるが、多くは以下のように理解することができる。
姿勢に起因して一部の骨の位置又は角度が変位してしまうと、その骨に結合された筋肉に不自然な力がかかる。その結果として、その筋肉に結合された他の骨が不自然な力を受け、位置又は角度が変位してしまう。体全体の骨は筋肉を介して結合されているので、かかる位置又は角度の変位が体全体に及んでしまう可能性がある。
【０００４】
してみれば、その位置又は角度の変位が体全体に影響してしまう可能性若しくは影響の程度が高い骨について、その骨を適正な位置及び角度に固定することで、体全体のバランスを保つ効果が期待できる。
しかし、そのような効果を有するサポータは、知られていなかった。
【０００５】
その位置又は角度の変位が体全体に影響してしまう可能性若しくは影響の程度が高い骨として、足にある「距骨」が知られている。距骨は、皮膚表面に到達していないので、サポータによってその位置を適性にすることは試みられていなかった。
【０００６】
一方、特許文献２には、踵骨載距突起、踵骨外側突起及び第５中足骨放射部を支持し、踵骨載距突起に上向きの力を加えることが距骨の角度を安定させる効果を有することが示されている。しかし、踵骨載距突起は足裏面に接していないため、具体的に足裏面のいずれの箇所に力を加えて踵骨載距突起に作用させるのかが、特許文献２では不明である。
【０００７】
出願人は、独自の研究により、距骨の位置及び角度を適性にするような力を加え得るサポータを発明した。
【先行技術文献】
【特許文献】
【０００８】
【特許文献１】特開２００９−０５０４１８号公報
【特許文献２】特開２０１３−１３５８５３号公報
【発明の概要】
【発明が解決しようとする課題】
【０００９】
解決しようとする課題は、距骨の位置を適正にするようなサポータを提供することである。
【課題を解決するための手段】
【００１０】
本発明のサポータは、
踵部に固定されるサポータであって、
踵骨の外側突起の直下において踵に接する第１の部分が、踵に接する他の部分よりも２ｍｍ〜７ｍｍ盛り上がっていることを特徴とする。
【００１１】
第１の部分によって踵骨の外側突起を持ち上げることで、距骨が支えられる。
【００１２】
本発明のサポータは、
立方骨の直下において踵に接する第２の部分が、踵に接する他の部分よりも２ｍｍ〜７ｍｍ盛り上がっていることを特徴とする。
【００１３】
第２の部分によって立方骨を持ち上げることで、舟状骨を介して距骨が支えられる。
【００１４】
本発明のサポータは、
前記第１の部分と前記第２の部分が連続していることを特徴とする。
【００１５】
踵骨から立方骨までを全体的に持ち上げる。
【００１６】
本発明のサポータは、
前記第１の部分を足の外側から引き上げて踵に圧着する圧着部を備えることを特徴とする。
【００１７】
足の動きがあっても第１の部分が踵骨を持ち上げることを確実にする。
【００１８】
本発明のサポータは、
前記圧着部は、前記第１の部分と連続した弾性体であり、
前記圧着部の前記第１の部分と反対側の端部を固定する固定部を備えることを特徴とする。
【００１９】
ゴム等の弾性体によって、安定した圧着を実現する。
【００２０】
本発明のサポータは、
前記固定部は、足首に周固され、
前記圧着部が前記固定部に面ファスナを介して固定されることを特徴とする。
【００２１】
足首と踵との間に弾性体を配する。面ファスナによって足首側の固定位置を調節でき、ユーザの動作や嗜好に応じて圧着力を調整することができる。
【発明の効果】
【００２２】
本発明によれば、距骨の位置及び角度を適正にするようなサポータが提供される。
【図面の簡単な説明】
【００２３】
【図１】図１は、踵部分の骨の構造を示す図である。
【図２】図２は、サポータを示す図である。
【図３】図３は、サポータの着用手順を示す図である。
【発明を実施するための形態】
【００２４】
図１は、踵部分の骨の構造を示す図である。図は右足のものであり、（Ａ）は足裏側から、（Ｂ）は外側から見た図である。（Ａ）（Ｂ）にそれぞれ他方の図の見る方向を矢印で示す。
【００２５】
踵骨１２及び立法骨１３が足裏に向いている。すなわち、足裏に加えられた力は踵骨１２及び立方骨１３へ伝えられる。
【００２６】
踵骨１２は距骨１１に接しており、踵骨１２に加えられた力は距骨１１に伝わる。踵骨１２の外側突起１２１を上方に圧することで、距骨１１の前方へのずれ及び傾斜を防止・補正することになる。
【００２７】
立方骨１３は、舟状骨１４と合わせてアーチを構成している。また、舟状骨１４は距骨１１に接している。すなわち、立方骨１３に加えられた力は舟状骨１４を介して距骨１１に伝わる。立方骨１３を上方に圧することで、距骨１１の前方へのずれ及び傾斜を防止・補正することになる。
【００２８】
図２は、サポータを示す図である。図は右足用のものである。左足用のものは図と対称な形状である。サポータ１には、踵部分２、圧着部４、弾性体６及び固定部７が設けられている。
踵部分２には盛り上がり部３（第１の部分３ａ及び第２の部分３ｂ）が設けられている。
圧着部は弾性を有し、その先端に面ファスナ５ａ及び５ｂが設けられている。
固定部７の一端に面ファスナ８が設けられている。
【００２９】
図２と図１（Ａ）を対照すると明らかなように、第１の部分３ａが踵骨１２の外側突起１２１に対応する箇所を含んで、第２の部分３ｂが立方骨１３に対応する箇所に設けられている。（図２は、下側から見た図であり、図１（Ａ）とは左右が逆である。）
【００３０】
盛り上がり部３は、踵部分２における他の部分よりも４ｍｍだけ盛り上がり、踵骨１２の外側突起１２１及び立方骨１３を上方に圧する。他の部分との高低差により、歩行時に踵が地面（床面）から受ける力が確実に踵骨１２の外側突起１２１及び立方骨１３に伝達される。ここで、盛り上がり厚は４ｍｍでなくてもよい。出願人の実験によれば、２ｍｍ〜７ｍｍの範囲で効果を得ている。
【００３１】
図３は、サポータの着用手順を示す図である。（Ａ）は上から見た図であり、足を点線で示す。（Ｂ）及び（Ｃ）は外側から見た図であり、（Ａ）と同様に足を点線で示す。
【００３２】
まず、（Ａ）のように、足をサポータ１の上に置く。盛り上がり部３は、第１の部分３ａが踵骨１２の外側突起１２１の下に、第２の部分３ｂが立方骨１３の下にあるようにする。
【００３３】
次に、（Ｂ）のように、固定部７を足首に巻きつける。面ファスナ８により、固定部７は足首に周固される。
【００３４】
最後に、（Ｃ）のように、圧着部４を固定部７に固定する。面ファスナ５（５ａ及び５ｂ）によって圧着部の一端が固定部７に固定される。踵部分２が踵に押し付けられ、盛り上がり部３によって踵骨１２の外側突起１２１及び立方骨１３が上方に圧せられる。圧着部４は弾性を有するので、面ファスナ５を固定する位置を調整し、踵部分２が踵に押し付けられる力の強さをユーザの嗜好によって調整することができる。また、圧着部４の形状によってくるぶし部分の圧迫を少なくしている。
【００３５】
着用されたサポータ１は、歩行時のみならず、立ち止まっている時、座っている時にも盛り上がり部３が距骨の位置及び角度を適性にするような力を加える。
【産業上の利用可能性】
【００３６】
距骨の位置を適正にするようなサポータであり、多くの個人による利用が考えられる。
また、距骨の位置を適性にすることによって血流、リンパ流の改善効果があり、利用を望む者は多いと考えられる。
【符号の説明】
【００３７】
１    サポータ
２    踵部分
３    盛り上がり部
４    圧着部
５    面ファスナ
６    弾性体
７    固定部
８    面ファスナ
１１  距骨
１２  踵骨
１３  立方骨
１４  舟状骨
【図１】
2015134049.tif 000003
【図２】
2015134049.tif 000004
【図３】
2015134049.tif 000005
【手続補正書】
【提出日】平成26年11月3日(2014.11.3)
【手続補正１】
【補正対象書類名】特許請求の範囲
【補正対象項目名】全文
【補正方法】変更
【補正の内容】
【特許請求の範囲】
【請求項１】
踵部に固定されるサポータであって、
踵骨の外側突起の直下において踵に接する第１の部分が、踵に接する他の部分よりも２ｍｍ〜７ｍｍ盛り上がっており、
立方骨の直下において踵に接する第２の部分が、踵に接する他の部分よりも２ｍｍ〜７ｍｍ盛り上がっていることを特徴とする、サポータ。
【請求項２】
前記第１の部分と前記第２の部分が連続して１つの盛り上がり部に含まれ、該１つの盛り上がり部は足の内側の前記第１の部分と前記第２の部分との間に上面視凹形状部を有することを特徴とする、請求項１に記載のサポータ。
【請求項３】
前記第１の部分を足の外側から引き上げて踵に圧着する圧着部を備えることを特徴とする、請求項１又は２に記載のサポータ。
【請求項４】
前記圧着部は、前記第１の部分と連続した弾性体であり、
前記圧着部の前記第１の部分と反対側の端部を固定する固定部を備えることを特徴とする、請求項３に記載のサポータ。
【請求項５】
前記固定部は、足首に周固され、
前記圧着部が前記固定部に面ファスナを介して固定されることを特徴とする、請求項４に記載のサポータ。
【手続補正２】
【補正対象書類名】明細書
【補正対象項目名】００２９
【補正方法】変更
【補正の内容】
【００２９】
図２と図１（Ａ）を対照すると明らかなように、第１の部分３ａが踵骨１２の外側突起１２１に対応する箇所を含んで、第２の部分３ｂが立方骨１３に対応する箇所に設けられている。（図２は、上側から見た図であり、図１（Ａ）とは左右が逆である。）